(57)【要約】【課題】開封した時から取り付けられたＩＣタグが通信を開始し、これにより開封時刻や開封後の経過時間を知ることのできる液体用紙容器を提供する。【解決手段】四角柱状の胴部と、胴部の正面板と背面板１２の上端に延設された屋根板２１と、左側面板と右側面板１４の上端に延設された三角形の折り込み片２２と、折り込み片の三角形の他の辺と屋根板とに接続する折り返し片２３を有し、屋根板の上端に正面シール片と背面シール片２５を、隣接する２つの折り返し片の上端に折り返しシール片２６を有する液体用紙容器１００であって、一方の折り返しシール片の外面の左右にそれぞれ導電性物質４とＩＣタグ５が設けられ、折り返しシール片が左右中間で折り返されてシールされて、導電性物質とＩＣタグが接触あるいは近接している。【選択図】図１
2015098341.tif 000002
【特許請求の範囲】
【請求項１】
板紙の表裏に熱溶融性樹脂層を設けたブランクを製函してなり、正面板と背面板と左右の側面板からなる四角柱状の胴部と、前記正面板と前記背面板の上端に延設された屋根板と、前記左右の側面板の上端に延設された三角形の折り込み片と、該折り込み片の三角形の他の辺と前記屋根板とに接続する折り返し片を有し、前記屋根板の上端に正面シール片と背面シール片を、隣接する２つの前記折り返し片の上端に折り返しシール片を有する液体用紙容器であって、
一方の前記折り返しシール片の外面の左右にそれぞれ導電性物質とＩＣタグが設けられ、前記折り込み片が折り込まれ、前記折り返し片が折り返され、前記折り返しシール片が左右中間で折り返されて、その外側のそれぞれに前記正面シール片と前記背面シール片を重ね合わされてシールされて、前記導電性物質と前記ＩＣタグが接触あるいは近接していることを特徴とする液体用紙容器。
【請求項２】
板紙の表裏に熱溶融性樹脂層を設けたブランクを製函してなり、正面板と背面板と左右の側面板からなる四角柱状の胴部と、前記正面板と前記背面板の上端に延設された屋根板と、前記左右の側面板の上端に延設された三角形の折り込み片と、該折り込み片の三角形の他の辺と前記屋根板とに接続する折り返し片を有し、前記屋根板の上端に正面シール片と背面シール片を、隣接する２つの前記折り返し片の上端に折り返しシール片を有する液体用紙容器であって、
正面シール片と背面シール片の一方の内面に導電性物質と、他方の内面にＩＣタグが設けられ、前記折り込み片が折り込まれ、前記折り返し片が折り返され、前記折り返しシール片が左右中間で折り返されて、その外側のそれぞれに前記正面シール片と前記背面シール片を重ね合わされてシールされて、前記導電性物質と前記ＩＣタグが接触あるいは近接していることを特徴とする液体用紙容器。
【発明の詳細な説明】
【技術分野】
【０００１】
本発明は、液体用紙容器に関するものである。特に、ＩＣタグを備え、開封したことを検知できるようにした液体用紙容器に関するものである。
【背景技術】
【０００２】
近年、ＩＣチップの集積回路化により小型化が進み、ＩＣチップとアンテナを組み合わせ小片としたＩＣタグが商品に取り付けられるようになった。そしてＩＣタグにより、その商品の管理や、あるいは偽造防止、いたずら防止などに利用されるようになってきた。また、工場においてもトレーサビリティの観点から、製品や中間製品、それに用いる部品、原材料の履歴を確認するのに用いられるようになり始めた。
【０００３】
例えば、いたずら防止としては、包装体が開封されるとＩＣタグのアンテナが切断されるように、商品に取り付けられているものがある（特許文献１）。
【０００４】
この場合、梱包された状態で運送され、もし運搬の途中で不正に開梱されてしまったとき、開梱によりアンテナが切断され、通信不能となったり、通信距離が半分以下になったりするので、運送後に開梱されたことを確認できる。
【０００５】
一方、未開封の商品などが、開封された場所や時間を記録することが必要な場合がある。例えば、酸化により性能が大きく影響される物品では、開封され大気中に晒されて酸化が開始された後の酸化が進んだ時間を管理する必要がある。また、放射線などの人体に悪影響を与える物品の開封された時間なども管理する必要がある。
【０００６】
特に工場などで製品を製造する上で、原材料の使用を管理する場合、未開封の原材料の包装体ではＩＣチップが通信を開始せず、原材料の包装体を開封したときからの時間や開封した場所を管理するために、開封した時からＩＣチップが通信を開始することが求められる。
【０００７】
一方、別の周波数帯を通信可能な少なくとも２つのアンテナを有するＲＦＩＤタグを備え、アンテナの１つが容器の開封とともに通信不能に切断され、開梱されたことが確認できる構成とした包装容器がある（特許文献２）。
【０００８】
そして、切断されずに残されたアンテナで商品管理ができることから、上記の要求を満たせる可能性はある。しかし、このＲＦＩＤタグの場合、アンテナを２つ設ける必要があり、また、開封することによって一方が通信不能になるが、他方は通信が不能にならない必要があるなど、構造が複雑で、サイズも大きくなり、コスト的にも使用が限定される。
【０００９】
公知文献を以下に示す。
【先行技術文献】
【特許文献】
【００１０】
【特許文献１】特開２００９−１０４２６２号公報
【特許文献２】特許第４５１０１３３号公報
【発明の概要】
【発明が解決しようとする課題】
【００１１】
本発明は上記のような事情に鑑みてなされたもので、開封した時から取り付けられたＩ
Ｃタグが通信を開始し、これにより開封時刻や開封後の経過時間を知ることのできる液体用紙容器を提供することを課題としている。
【課題を解決するための手段】
【００１２】
本発明は係る課題に鑑みなされたものであり、請求項１の発明は、板紙の表裏に熱溶融性樹脂層を設けたブランクを製函してなり、正面板と背面板と左右の側面板からなる四角柱状の胴部と、前記正面板と前記背面板の上端に延設された屋根板と、前記左右の側面板の上端に延設された三角形の折り込み片と、該折り込み片の三角形の他の辺と前記屋根板とに接続する折り返し片を有し、前記屋根板の上端に正面シール片と背面シール片を、隣接する２つの前記折り返し片の上端に折り返しシール片を有する液体用紙容器であって、一方の前記折り返しシール片の外面の左右にそれぞれ導電性物質とＩＣタグが設けられ、前記折り込み片が折り込まれ、前記折り返し片が折り返され、前記折り返しシール片が左右中間で折り返されて、その外側のそれぞれに前記正面シール片と前記背面シール片を重ね合わされてシールされて、前記導電性物質と前記ＩＣタグが接触あるいは近接していることを特徴とする液体用紙容器である。
【００１３】
本発明の請求項２の発明は、板紙の表裏に熱溶融性樹脂層を設けたブランクを製函してなり、正面板と背面板と左右の側面板からなる四角柱状の胴部と、前記正面板と前記背面板の上端に延設された屋根板と、前記左右の側面板の上端に延設された三角形の折り込み片と、該折り込み片の三角形の他の辺と前記屋根板とに接続する折り返し片を有し、前記屋根板の上端に正面シール片と背面シール片を、隣接する２つの前記折り返し片の上端に折り返しシール片を有する液体用紙容器であって、
正面シール片と背面シール片の一方の内面に導電性物質と、他方の内面にＩＣタグが設けられ、前記折り込み片が折り込まれ、前記折り返し片が折り返され、前記折り返しシール片が左右中間で折り返されて、その外側のそれぞれに前記正面シール片と前記背面シール片を重ね合わされてシールされて、前記導電性物質と前記ＩＣタグが接触あるいは近接していることを特徴とする液体用紙容器である。
【発明の効果】
【００１４】
本発明の液体用紙容器は、開封した時からＩＣタグが通信を開始できる。また、これにより開封時刻や開封後の経過時間を知ることができる。
【図面の簡単な説明】
【００１５】
【図１】本発明の液体用紙容器の第１の実施形態を模式的に斜視で示した説明図である。（ａ）開封前の状態の説明図である。（ｂ）開封した状態の説明図である。
【図２】本発明の液体用紙容器の第１の実施形態に用いるブランクの説明図である。
【図３】本発明の液体用紙容器の第２の実施形態を模式的に斜視で示した説明図である。（ａ）開封前の状態の説明図である。（ｂ）開封した状態の説明図である。
【図４】本発明の液体用紙容器の第２の実施形態に用いるブランクの説明図である。
【発明を実施するための形態】
【００１６】
＜第１の実施形態＞
以下、本発明を実施するための第１の実施形態につき説明する。
図１は、本発明の液体用紙容器の第１の実施形態を模式的に斜視で示した説明図である。（ａ）開封前の状態の説明図である。（ｂ）開封した状態の説明図である。
図２は、本発明の液体用紙容器の第１の実施形態に用いるブランクの説明図である（主に外側になる面から見た図である）。
【００１７】
第１の実施形態の液体用紙容器１００は、板紙の表裏に熱溶融性樹脂層を設けた積層体を、罫押しと同時に打ち抜いてブランク１０１を作成し、このブランク１０１を製函して
作られている。板紙には、坪量が２００〜５００ｇ／ｍ２で、密度が０．６〜１．１ｇ／ｍ３のものが用いられる。
【００１８】
表裏に熱溶融性樹脂層には、低密度ポリエチレンや直鎖状低密度ポリエチレン、ポリプロピレン、ポリエステル、エチレンビニルアルコール共重合体などの樹脂が用いられる。フィルム状のものを、板紙に接着剤を介して積層してもよいが、多くの場合、押し出しラミネートにより、板紙面に溶融した樹脂を直接押し出して設けられている。熱溶融性樹脂層の厚みは２０μｍ〜１００μｍｇが好ましい。
【００１９】
板紙と裏面の熱溶融性樹脂層の間に、バリア層を設けてもよい。バリア層としては、ポリエチレンテレフタレート、ナイロン、ポリプロピレンなどの樹脂の延伸フィルムに、アルミナ、シリカを蒸着した無機酸化物蒸着フィルムやエチレンビニルアルコール共重合フィルムやＭＸＤナイロンが用いられる。アルミニウムなどの金属は、ＩＣチップの電波の送受信への影響が出る恐れがあり、バリア層に用いないほうが良い。
【００２０】
ブランク１０１は、図２のように、胴部１を形成する正面板１１と背面板１２と左側面板１３と右側面板１４が連設され、左側面板１３の左端に貼着板１５が連設されている。また、正面板１１と背面板１２の上端には、それぞれ、屋根板２１、２１が設けられている。
【００２１】
また、左側面板１３と右側面板１４の上端には、三角形の折り込み片２２、２２が設けられている。そして、折り込み片２２、２２の側面板に接していない辺には、屋根板２１、２１と接続する折り返し片２３、２３、２３、２３が設けられている。
【００２２】
屋根板２１、２１の上端には、正面シール片２４と背面シール片２５が設けられ、隣接する２つの折り返し片２３、２３の上端には折り返しシール片２６、２６が設けられている。これにより、胴部１より上の頂部２が形成される。尚、一方の折り返しシール片２６の外面の左右にそれぞれ導電性物質４とＩＣタグ５が設けられている。
【００２３】
導電性物質４は、金属箔や金属インキが用いることが出来る。金属箔としてはアルミニウム箔などを用いて、片面に接着剤（粘着剤を含む）を設けておいて、接着して設けるようにしても良い。金属インキとしては、例えばアルミペーストインキを用いて、塗布して設けるようにしても良い。
【００２４】
ＩＣタグ５は、詳細を図示しないが、一般的なものであり、ベース基材上に１つのアンテナとＩＣチップが電気的に接続されて設けられたインレットを有している。そして、リーダライタから発射される電波を受信し、微量な電力を発生させ、その電力で情報処理を行い、電波を送信するものである。そして、リーダライタはこの電波を読み取ってＩＣタグ５の情報を得ることができる。
【００２５】
一方、底部３を形成するために、正面板１１と背面板１２の下端に、それぞれ、底板３１、３１が設けられている。また、左側面板１３と右側面板１４の下端には、三角形の底折り込み片３２、３２が設けられている。そして、底折り込み片３２、３２の側面板に接していない辺には、底板３１、３１と接続する底折り返し片３３、３３、３３、３３が設けられている。
【００２６】
底板３１、３１の下端には、正面底シール片３４と背面底シール片３５が設けられ、隣接する２つの底折り返し片３３、３３の下端には底折り返しシール片３６、３６が設けられている。
【００２７】
このブランク１０１を用いて、液体用紙容器１００を成形するには、左側面板１３と正面板１１との間の折罫、及び、右側面板１４と背面板１２の間の折罫を山折りし、このとき、折罫の延長上の頂部２、底部３における折罫も同時に山折りする。
【００２８】
そして、貼着板１５の表側を背面板１２の裏面に、及び、背面板１２の上下に位置する頂部２と底部３の裏側に、融着させる。尚、あらかじめ貼着板１５の端縁部は、板紙が内容物に触れないように、端面保護をおこなうことができる。
【００２９】
端面保護の方法は、内層の熱溶融性樹脂層を残して、板紙などの外層側を削り取って、削り残された内層の熱溶融性樹脂層を外層側に折り返すスカイブヘミング法や、エッジプロテープを端面に貼る方法など、いずれの方法でも構わない。
【００３０】
貼着板１５を融着させたら、正面板１１と右側面板１４の間の折罫、および、その延長線状の折罫を山折りし、背面板１２の裏に貼られた貼着板１５と左側面板１３の間の折罫およびその延長線状の折罫を山折りし、左側面板１３、正面板１１、右側面板１４、背面板１２の四枚の面板からなる胴部１を四角筒状に形成する。
【００３１】
次に、底部３を成形する。まず、底折り込み片３２、３２を、それぞれ、左側面板１３、右側面板１４との間の折罫で内方に折り込み、底折り返し片３３、３３、３３、３３を底折り込み片３２、３２との折罫で外側に折り返し、底板３１、３１を正面板１１、背面板１２の折罫で山折りして、底折り返し片３３、３３、３３、３３の山折りして外側に位置する裏面をそれぞれ底板３１、３１の裏面に対向して接触するようにして折る。
【００３２】
これに伴って、底折り返しシール片３６、３６が左右中間で折り返されて重ねあわされ、折り返した重ねあわされた底折り返しシール片３６、３６の外側のそれぞれに正面底シール片３４と背面底シール片３５を重ね合わされる。この部位を重ねたままシールして底部３を形成する。
【００３３】
胴部１と底部３が形成された液体用紙容器１００に内容物を充填する。続いて、折り込み片２２、２２を左側面板１３、右側面板１４の折罫で内方に折り込み、折り返し片２３、２３、２３、２３を折り込み片２２、２２との間の折罫で外側に折り返し、屋根板２１、２１を正面板１１、背面板１２との間の折罫で山折りして、折り返し片２３、２３、２３、２３の裏面をそれぞれ屋根板２１、２１の裏面に対向して接触するようにする。
【００３４】
これにより、折り返しシール片２６、２６が左右中間で折り返されて重ねあわされ、折り返されて重ねあわされた折り返しシール片２６、２６の外側のそれぞれに正面シール片２４と背面シール片２５が重ね合わされる。そしてこれらを重ね合わせたままシールして、頂部２を形成して、内容物が充填された図１（ａ）のような液体用紙容器１００が完成する。
【００３５】
このようにして、折り返しシール片２６が左右中間で折り返されて重ねあわされてシールされているので、一方の折り返しシール片２６の外面の左右にそれぞれ設けた導電性物質４とＩＣタグ５は接触あるいは近接している。
【００３６】
このように、導電性物質４とＩＣタグ５が接触あるいは近接していると、リーダライタからの電波の受信性能が著しく低下し、電力が発生せずＩＣチップの情報処理が行われない。
【００３７】
尚、この導電性物質４とＩＣタグ５を設けた折り返しシール片２６に剥離剤などを塗布し、シール強度を弱くしておいて、剥がしやすくしておくこともできる。
【００３８】
本実施形態の液体用紙容器１００では、以上のように密封状態では、ＩＣタグ５はリーダライタから発射される電波を受信することができないので、交信が行われない。そして、図１（ｂ）のように、導電性物質４とＩＣタグ５を設けた折り返しシール片２６が、折り返されて重ねあわされてシールされた部分を剥離して、導電性物質４とＩＣタグ５とが離れると、初めてリーダライタからの電波を受信してＩＣタグ５が通信を開始するようになる。
【００３９】
本実施形態の液体用紙容器１００の使い方としては、工場で製品を製造するのに用いる原材料などを包装しておくのに用いることが出来る。工場に納入された液体用紙容器１００を必要に応じて、開封して原材料を使用する。
【００４０】
この開封によって、液体用紙容器１００のＩＣタグ５は、リーダライタからの電波を受信できるようになる。そして、ＩＣタグ５は、受信した電波により電力が発生して、情報処理が行われ、リーダライタに電波を発信させる。
【００４１】
このとき、リーダライタ側の管理コンピュータの持つ日時の情報から開封した日時が特定される。また、複数のリーダライタが、ＩＣタグ５からの送信を受けたり、受けなかったりすることから、そのＩＣタグ５の存在位置の範囲を特定することができる。
【００４２】
これらの情報は、リーダライタと有線であるいは無線で接続された管理コンピュータに保存される。また、これらの情報を、液体用紙容器１００のＩＣタグ５のＩＣチップに保存しても良い。ＩＣチップに保存すれば管理コンピュータに接続されていないリーダライタでもこの情報を読み取ることができる。
【００４３】
以上のように、本実施形態の液体用紙容器１００は、開封した時からＩＣタグ５が通信を開始するので、この通信開始をリーダライタで受信し、開封時刻や開封後の経過時間、あるいは、開封された場所を知ることができる。そして、これにより収納されていた、酸化により性能が大きく影響される物品や、人体に悪影響を与える物品などが開封後に影響を与えた時間や場所を知ることができ、管理することができる。
【００４４】
＜第２の実施形態＞
以下、本発明を実施するための第２の実施形態につき説明する。
図３は、本発明の液体用紙容器の第２の実施形態を模式的に斜視で示した説明図である。（ａ）開封前の状態の説明図である。（ｂ）開封した状態の説明図である。
図４は、本発明の液体用紙容器の第２の実施形態に用いるブランクの説明図である。（主に外側になる面から見た図である）。
【００４５】
第２の実施形態の液体用紙容器２００は、液体用紙容器１００と同様に、板紙の表裏に熱溶融性樹脂層を設けた積層体を、罫押しと同時に打ち抜いてブランク２０１を作成し、このブランク２０１を製函して作られている。
【００４６】
用いる板紙や表裏の熱溶融性樹脂層は、液体用紙容器１００と同様のものが使用できる。また、板紙と裏面の熱溶融性樹脂層の間に、液体用紙容器１００と同様なバリア層を設けることも可能である。
【００４７】
ブランク２０１は、図４のように、胴部１を形成する正面板１１と背面板１２と左側面板１３と右側面板１４が連設され、左側面板１３の左端に貼着板１５が連設されている。また、正面板１１と背面板１２の上端には、それぞれ、屋根板２１、２１が設けられている。
【００４８】
また、左側面板１３と右側面板１４の上端には、三角形の折り込み片２２、２２が設けられている。そして、折り込み片２２、２２の側面板に接していない辺には、屋根板２１、２１と接続する折り返し片２３、２３、２３、２３が設けられている。
【００４９】
屋根板２１、２１の上端には、正面シール片２４と背面シール片２５が設けられ、隣接する２つの折り返し片２３、２３の上端には折り返しシール片２６、２６が設けられている。これらにより、胴部１より上の頂部２が形成される。
【００５０】
尚、正面シール片２４の裏面にＩＣタグ５が設けられ、背面シール片２５の裏面に導電性物質４が設けられている。用いる導電性物質４とＩＣタグ５もまた、液体用紙容器１００と同様なものを用いることが出来る。
【００５１】
本実施形態では、正面シール片２４にＩＣタグ５を、背面シール片２５に導電性物質４を設けたが、逆に、正面シール片２４の裏面に導電性物質４を、背面シール片２５の裏面にＩＣタグ５を設けても良い。
【００５２】
一方、底部３を形成するために、正面板１１と背面板１２の下端に、それぞれ、底板３１、３１が設けられている。また、左側面板１３と右側面板１４の下端には、三角形の底折り込み片３２、３２が設けられている。そして、折り込み片３２、３２の側面板に接していない辺には、底板３１、３１と接続する底折り返し片３３、３３、３３、３３が設けられている。
【００５３】
底板３１、３１の下端には、正面底シール片３４と背面底シール片３５が設けられ、隣接する２つの底折り返し片３３、３３の下端には底折り返しシール片３６、３６が設けられている。
【００５４】
このブランク２０１を用いて、液体用紙容器２００を成形するには、左側面板１３と正面板１１との間の折罫、及び、右側面板１４と背面板１２の間の折罫を山折りし、このとき、折罫の延長上の頂部２、底部３における折罫も同時に山折りする。
【００５５】
そして、貼着板１５の表側を背面板１２の裏面に、及び、背面板１２の上下に位置する頂部２と底部３の裏側に、融着させる。尚、あらかじめ貼着板１５の端縁部は、板紙が内容物に触れないように、液体用紙容器１００と同様に端面保護をおこなうことができる。
【００５６】
貼着板１５を融着させたら、正面板１１と右側面板１４の間の折罫、および、その延長線状の折罫を山折りし、背面板１２の裏に貼られた貼着板１５と左側面板１３の間の折罫およびその延長線状の折罫を山折りし、左側面板１３、正面板１１、右側面板１４、背面板１２の四枚の面板からなる胴部１を四角筒状に形成する。
【００５７】
次に、底部３を成形する。まず、底折り込み片３２、３２を、それぞれ、左側面板１３、右側面板１４との間の折罫で内方に折り込み、底折り返し片３３、３３、３３、３３を底折り込み片３２、３２との折罫で外側に折り返し、底板３１、３１を正面板１１、背面板１２の折罫で山折りして、底折り返し片３３、３３、３３、３３の裏面をそれぞれ底板３１、３１の裏面に対向して接触するようにして折る。
【００５８】
これに伴って、底折り返しシール片３６、３６が左右中間で折り返されて重ねあわされ、折り返した重ねあわされた底折り返しシール片３６、３６の外側のそれぞれに正面底シール片３４と背面底シール片３５を重ね合わされてシールされて、底部３を形成する。
【００５９】
胴部１と底部３が形成された液体用紙容器２００に内容物を充填する。続いて、折り込み片２２、２２を左側面板１３、右側面板１４の折罫で内方に折り込み、折り返し片２３、２３、２３、２３を折り込み片２２、２２との間の折罫で外側に折り返し、屋根板２１、２１を正面板１１、背面板１２との間の折罫で山折りして、折り返し片２３、２３、２３、２３の裏面をそれぞれ屋根板２１、２１の裏面に対向して接触するようにする。
【００６０】
これにより、折り返しシール片２６、２６が左右中間で折り返されて重ねあわされ、折り返されて重ねあわされた折り返しシール片２６、２６の外側のそれぞれに正面シール片２４と背面シール片２５が重ね合わされる。そしてこれらを重ね合わせたままシールして、頂部２を形成して、内容物が充填された液体用紙容器２００が完成する。
【００６１】
このように、折り返しシール片２６、２６の外側のそれぞれに正面シール片２４と背面シール片２５が重ね合わされシールされているので、正面シール片２４と背面シール片２５のそれぞれに設けたＩＣタグ５と導電性物質４は接触あるいは近接している。このため、ＩＣタグ５は、リーダライタから発射される電波を受信することができない。
【００６２】
このようにして、折り返しシール片２６が左右中間で折り返されて重ねあわされてシールされているので、一方の折り返しシール片２６の外面の左右にそれぞれ設けた導電性物質４とＩＣタグ５は接触あるいは近接している。
【００６３】
このように、導電性物質４とＩＣタグ５が接触あるいは近接していると、リーダライタからの電波の受信性能が著しく低下し、電力が発生せずＩＣチップの情報処理が行われない。
【００６４】
尚、折り返しシール片２６、２６に剥離剤などを塗布し、シール強度を弱くしておいて、剥がしやすくしておくこともできる。
【００６５】
本実施形態の液体用紙容器２００では、以上のように密封状態では、ＩＣタグ５はリーダライタから発射される電波を受信することができないので、交信が行われない。そして、図３（ｂ）のように、ＩＣタグ５を設けた正面シール片２４と、導電性物質４を設けた背面シール片２５が剥離して、導電性物質４とＩＣタグ５とが離れると、初めてリーダライタからの電波を受信してＩＣタグ５が通信を開始するようになる。
【００６６】
本実施形態の液体用紙容器２００の使い方としては、工場で製品を製造するのに用いる原材料などを包装しておくのに用いることが出来る。工場に納入された液体用紙容器２００を必要に応じて、開封して原材料を使用する。
【００６７】
この開封によって、液体用紙容器２００のＩＣタグ５は、リーダライタからの電波を受信できるようになる。そして、ＩＣタグ５は、受信した電波により電力が発生して、情報処理が行われ、リーダライタに電波を発信させる。
【００６８】
このとき、リーダライタ側の管理コンピュータの持つ日時の情報から開封した日時が特定される。また、複数のリーダライタが、ＩＣタグ５からの送信を受けたり、受けなかったりすることから、そのＩＣタグ５の存在位置の範囲を特定することができる。
【００６９】
これらの情報は、リーダライタと有線であるいは無線で接続された管理コンピュータに保存される。また、これらの情報を、液体用紙容器２００のＩＣタグ５のＩＣチップに保存しても良い。ＩＣチップに保存すれば管理コンピュータに接続されていないリーダライタでもこの情報を読み取ることができる。
【００７０】
以上のように、本実施形態の液体用紙容器２００は、開封した時からＩＣタグ５が通信を開始するので、この通信開始をリーダライタで受信し、開封時刻や開封後の経過時間、あるいは、開封された場所を知ることができる。そして、これにより収納されていた、酸化により性能が大きく影響される物品や、人体に悪影響を与える物品などが開封後に影響を与えた時間や場所を知ることができ、管理することができる。
【符号の説明】
【００７１】
１００、２００・・・液体用紙容器
１０１、２０１・・・ブランク
１・・・胴部
１１・・・正面板
１２・・・背面板
１３・・・左側面板
１４・・・右側面板
１５・・・貼着板
２・・・頂部
２１、２１・・・屋根板
２２、２２・・・折り込み片
２３、２３、２３、２３・・・折り返し片
２４・・・正面シール片
２５・・・背面シール片
２６、２６・・・折り返しシール片
３・・・底部
３１、３１・・・底板
３２、３２・・・底折り込み片
３３、３３、３３、３３・・・底折り返し片
３４・・・正面底シール片
３５・・・背面底シール片
３６、３６・・・底折り返しシール片
４・・・導電性物質
５・・・ＩＣタグ
【図１】
2015098341.tif 000003
【図２】
2015098341.tif 000004
【図３】
2015098341.tif 000005
【図４】
2015098341.tif 000006